(57)【要約】【課題】  水抜孔からの白蟻の侵入を防ぐことができる、地中埋設箱の水抜孔の防蟻構造を提供する。【解決手段】  防蟻構造２は、地中埋設箱１の底壁１ａに貫通形成された水抜孔１ｂの周囲に所定量の水Ｗを溜めることができるように、水抜孔１ｂの周縁部全周に、上方に突出する関壁３を備える。この関壁３は、両端が開口する筒状体４により形成される。筒状体４は、本体筒部５を備え、その本体筒部５が、水抜孔１ｂに挿入され、この本体筒部５の、底壁１ａの上方に突出する上部筒部５ａが、前記関壁３を構成する。【選択図】  図１
2018186638.tif 000002
【特許請求の範囲】
【請求項１】
地中に埋設される地中埋設箱の底壁に貫通形成された水抜孔の防蟻構造であって、
前記水抜孔の周囲の前記底壁上に所定量の水を溜めることができるように、前記水抜孔の周縁部全周に、上方に突出する関壁を備える、地中埋設箱の水抜孔の防蟻構造。
【請求項２】
前記関壁は、前記地中埋設箱とは別体の、両端が開口する筒状体により形成されて、その筒状体が、前記地中埋設箱に取り付けられている、請求項１に記載の地中埋設箱の水抜孔の防蟻構造。
【請求項３】
前記筒状体は、防蟻成分を含有する材料からなる、請求項２に記載の地中埋設箱の水抜孔の防蟻構造。
【請求項４】
前記筒状体は、前記水抜孔に挿入される本体筒部を備え、その本体筒部における、前記底壁の上方に突出する上部筒部が、前記関壁を構成する、請求項２または３に記載の地中埋設箱の水抜孔の防蟻構造。
【請求項５】
前記本体筒部は、前記底壁の下方に突出する長さを有する、請求項４に記載の地中埋設箱の水抜孔の防蟻構造。
【請求項６】
前記筒状体は、前記本体筒部と、その本体筒部の前記上部筒部から外方に突出するとともに前記底壁の上面に接するフランジ部とを備え、前記上部筒部と前記フランジ部とで、前記関壁が構成される、請求項４または５に記載の地中埋設箱の水抜孔の防蟻構造。
【請求項７】
前記本体筒部と前記フランジ部とは、別体に形成され、
前記フランジ部は、前記上部筒部の外周に嵌まるようにして前記本体筒部に取り付けられている、請求項６に記載の地中埋設箱の水抜孔の防蟻構造。
【請求項８】
前記本体筒部は、合成樹脂からなり、その合成樹脂により内面が平滑に形成されている、請求項４ないし７のいずれか１項に記載の地中埋設箱の水抜孔の防蟻構造。
【請求項９】
前記水抜孔の内面と前記本体筒部の外面とが、粘着性を備えた粘着体によって貼り付けられている、請求孔４ないし８のいずれか１項に記載の地中埋設箱の水抜孔の防蟻構造。
【請求項１０】
前記粘着体は、防蟻成分を含有する、請求項９に記載の地中埋設箱の水抜孔の防蟻構造。
【請求項１１】
前記本体筒部は、縮径可能に形成されている、請求項４ないし１０のいずれか１項に記載の地中埋設箱の水抜孔の防蟻構造。
【請求項１２】
前記筒状体は、水抜孔に挿入される筒部材と、前記関壁を有して前記筒部材に着脱可能に螺合する関壁形成材とを備える、請求項２または３に記載の地中埋設箱の水抜孔の防蟻構造。
【請求項１３】
前記筒部材は、内面に雌ねじが設けられ、
前記関壁形成材は、前記関壁と、その関壁から下方に延びる延設筒部とを備え、その延設筒部の外面に、前記雌ねじと螺合する雄ねじが設けられている、請求項１２に記載の地中埋設箱の水抜孔の防蟻構造。
【請求項１４】
前記関壁は、前記底壁の上面に接するように外方に突出して形成されている、請求項１２または１３に記載の地中埋設箱の水抜孔の防蟻構造。
【請求項１５】
前記関壁の内側は、白蟻の通過を防止するとともに水の通過を許容する大きさの網目を有する網状体で覆われている、請求項１ないし１４のいずれか１項に記載の地中埋設箱の水抜孔の防蟻構造。
【請求項１６】
前記網状体は、前記関壁に、着脱可能に取り付けられている、請求項１５に記載の地中埋設箱の水抜孔の防蟻構造。
【発明の詳細な説明】
【技術分野】
【０００１】
この発明は、地中埋設箱の水抜孔からの白蟻の侵入を防ぐための防蟻構造に関するものである。
【背景技術】
【０００２】
従来、地中に埋設される地中埋設箱においては、その底面に、地中埋設箱内に浸入した水を排出するための水抜孔が形成されていた。例えば、特許文献１に示されるハンドホール（地中埋設箱）では、図９に示すように、その底面２２に、段付の筒状形状をしたソケット継手２３が埋設され、そのソケット継手２３の筒内が水抜孔２４となって、ハンドホール２１内に浸入した水を排出していた。
【先行技術文献】
【特許文献】
【０００３】
【特許文献１】特開２０００−３１４１２６
【発明の概要】
【発明が解決しようとする課題】
【０００４】
ところで、前記従来のハンドホール２１（地中埋設箱）においては、底面２２に水抜孔２４が設けられることから、その水抜孔２４からハンドホール２１内に白蟻が侵入する虞があった。
【０００５】
この発明は、上記した従来の欠点を解決するためになされたものであり、その目的とするところは、水抜孔からの白蟻の侵入を防ぐことができる、地中埋設箱の水抜孔の防蟻構造を提供することにある。
【課題を解決するための手段】
【０００６】
この発明に係る地中埋設箱の水抜孔の防蟻構造は、前記目的を達成するために、次の構成からなる。すなわち、
請求項１に記載の発明に係る地中埋設箱の水抜孔の防蟻構造は、地中に埋設される地中埋設箱の底壁に貫通形成された水抜孔の防蟻構造である。この防蟻構造は、前記水抜孔の周囲の前記底壁上に所定量の水を溜めることができるように、前記水抜孔の周縁部全周に、上方に突出する関壁を備える。
【０００７】
この防蟻構造によると、地中埋設箱内に浸入した水は、底壁まで降下するが、水抜孔の周縁部に関壁が設けられることで、水は、関壁を囲むようにして水抜孔の周囲に溜められる。このため、水抜孔から地中埋設箱内に侵入しようとする白蟻は、水抜孔の周囲の水に遮られて、それ以上先に進むことができない。
【０００８】
また、請求項２に記載の発明に係る地中埋設箱の水抜孔の防蟻構造は、請求項１に記載の防蟻構造において、前記関壁は、前記地中埋設箱とは別体の、両端が開口する筒状体により形成されて、その筒状体が、前記地中埋設箱に取り付けられている。
【０００９】
また、請求項３に記載の発明に係る地中埋設箱の水抜孔の防蟻構造は、請求項２に記載の防蟻構造において、前記筒状体は、防蟻成分を含有する材料からなる。
【００１０】
また、請求項４に記載の発明に係る地中埋設箱の水抜孔の防蟻構造は、請求項２または３に記載の防蟻構造において、前記筒状体は、前記水抜孔に挿入される本体筒部を備え、その本体筒部における、前記底壁の上方に突出する上部筒部が、前記関壁を構成する。
【００１１】
また、請求項５に記載の発明に係る地中埋設箱の水抜孔の防蟻構造は、請求項４に記載の防蟻構造において、前記本体筒部は、前記底壁の下方に突出する長さを有する。
【００１２】
また、請求項６に記載の発明に係る地中埋設箱の水抜孔の防蟻構造は、請求項４または５に記載の防蟻構造において、前記筒状体は、前記本体筒部と、その本体筒部の前記上部筒部から外方に突出するとともに前記底壁の上面に接するフランジ部とを備える。そこで、前記上部筒部と前記フランジ部とで、前記関壁が構成される。
【００１３】
また、請求項７に記載の発明に係る地中埋設箱の水抜孔の防蟻構造は、請求項６に記載の防蟻構造において、前記本体筒部と前記フランジ部とは、別体に形成される。そして、前記フランジ部は、前記上部筒部の外周に嵌まるようにして前記本体筒部に取り付けられている。
【００１４】
また、請求項８に記載の発明に係る地中埋設箱の水抜孔の防蟻構造は、請求項４ないし７のいずれか１項に記載の防蟻構造において、前記本体筒部は、合成樹脂からなり、その合成樹脂により内面が平滑に形成されている。こうして本体筒部の内面が平滑に形成されることで、本体筒部の内面をのぼろうとする白蟻の進行が困難となる。
【００１５】
また、請求項９に記載の発明に係る地中埋設箱の水抜孔の防蟻構造は、請求孔４ないし８のいずれか１項に記載の防蟻構造において、前記水抜孔の内面と前記本体筒部の外面とが、粘着性を備えた粘着体によって貼り付けられている。これにより、水抜孔の内面と本体筒部の外面との間からの水の漏れを的確に防ぐことができ、水抜孔の周囲に水を確実に溜めることができる。
【００１６】
また、請求項１０に記載の発明に係る地中埋設箱の水抜孔の防蟻構造は、請求項９に記載の地中埋設箱の水抜孔の防蟻構造において、前記粘着体は、防蟻成分を含有する。こうして、水抜孔の内面と本体筒部の外面との間の粘着体が防蟻成分を含有することで、その粘着体を食い破って白蟻が地中埋設箱内に侵入しようとするのを防ぐことができる。
【００１７】
また、請求項１１に記載の発明に係る地中埋設箱の水抜孔の防蟻構造は、請求項４ないし１０のいずれか１項に記載の防蟻構造において、前記本体筒部は、縮径可能に形成されている。これにより、本体筒部を縮径した状態で水抜孔に挿入し、その後に所定の径となるよう拡径することで、この本体筒部を水抜孔に簡単に配置することができる。
【００１８】
また、請求項１２に記載の発明に係る地中埋設箱の水抜孔の防蟻構造は、請求項２または３に記載の地中埋設箱の水抜孔の防蟻構造において、前記筒状体は、水抜孔に挿入される筒部材と、前記関壁を有して前記筒部材に着脱可能に螺合する関壁形成材とを備える。こうして、関壁形成材が、筒部材に着脱可能に螺合することで、使用により関壁形成材が損傷したり劣化したりした場合に、この関壁形成材を容易に交換することができる。
【００１９】
また、請求項１３に記載の発明に係る地中埋設箱の水抜孔の防蟻構造は、請求項１２に記載の地中埋設箱の水抜孔の防蟻構造において、前記筒部材は、内面に雌ねじが設けられている。そして、前記関壁形成材は、前記関壁と、その関壁から下方に延びる延設筒部とを備え、その延設筒部の外面に、前記雌ねじと螺合する雄ねじが設けられている。
【００２０】
また、請求項１４に記載の発明に係る地中埋設箱の水抜孔の防蟻構造は、請求項１２または１３に記載の地中埋設箱の水抜孔の防蟻構造において、前記関壁は、前記底壁の上面に接するように外方に突出して形成されている。
【００２１】
また、請求項１５に記載の発明に係る地中埋設箱の水抜孔の防蟻構造は、請求項１ないし１４のいずれか１項に記載の防蟻構造において、前記関壁の内側は、白蟻の通過を防止するとともに水の通過を許容する大きさの網目を有する網状体で覆われている。
【００２２】
また、請求項１６に記載の発明に係る地中埋設箱の水抜孔の防蟻構造は、請求項１５に記載の防蟻構造において、前記網状体は、前記関壁に、着脱可能に取り付けられている。
【発明の効果】
【００２３】
この発明に係る地中埋設箱の水抜孔の防蟻構造によれば、水抜孔の周縁部全周に関壁を設けることで、水抜孔の周囲に水を溜め、水抜孔からの白蟻の侵入を防ぐことができる。
【図面の簡単な説明】
【００２４】
【図１】この発明の第一の実施の形態の、防蟻構造であって底壁に水が溜められた状態を示す縦断面図である。
【図２】同じく、地中埋設箱を示す縦断面図である。
【図３】同じく、水抜孔の内面に粘着体を付けた状態を示す縦断面図である。
【図４】同じく、防蟻構造を示す縦断面図である。
【図５】同じく、本体筒部を示す拡大斜視図である。
【図６】同じく、本体筒部の他の例を示す拡大斜視図である。
【図７】この発明の第二の実施の形態の、防蟻構造であって底壁に水が溜められた状態を示す縦断面図である。
【図８】この発明の第三の実施の形態の、防蟻構造であって底壁に水が溜められた状態を示す縦断面図である。
【図９】従来のハンドホールを示す縦断面図である。
【発明を実施するための形態】
【００２５】
以下、この発明に係る地中埋設箱の水抜孔の防蟻構造を実施するための形態を図面に基づいて説明する。
【００２６】
図１〜図６は、本発明の第一の実施の形態を示す。図中符号１は、地中に埋設される地中埋設箱を示す。１ａは、前記地中埋設箱１の底壁を示す。１ｂは、前記底壁１ａに貫通形成された水抜孔を示す。２は、前記地中埋設箱１の水抜孔１ｂの防蟻構造を示す。
【００２７】
この防蟻構造２は、地中埋設箱１において、水抜孔１ｂの周囲の底壁１ａ上に所定量の水Ｗを溜めることができるように、水抜孔１ｂの周縁部全周に、上方に突出する関壁３を備える。つまり、関壁３は、底壁１ａ上に所定量の水Ｗを溜める高さを有し、その高さを超える水Ｗは、関壁３を越えて水抜孔１ｂの内側を通ることで下方に排出される。
【００２８】
詳細には、関壁３は、地中埋設箱１とは別体の、両端が開口する筒状体４により形成されて、その筒状体４が、地中埋設箱１に取り付けられている。そして、この筒状体４は、防蟻成分を含有する材料からなる。
【００２９】
また、筒状体４は、水抜孔１ｂに挿入される本体筒部５を備え、その本体筒部５における、地中埋設箱１の底壁１ａの上方に突出する上部筒部５ａが、前記関壁３を構成する。さらに、この本体筒部５は、地中埋設箱１の底壁１ａの下方に突出する長さを有している。
【００３０】
より詳細には、本体筒部５は、合成樹脂からなり、その合成樹脂により、本体筒部５は、内面が平滑に形成されている。
【００３１】
具体的には、地中埋設箱１は、ハンドホールとかマンホール等からなり、有底箱状に形成される。この地中埋設箱１の底壁１ａは、その上面側の中央部に、周囲よりも一段下がった窪み１ｃが設けられ、その窪み１ｃの中心に、前記水抜孔１ｂがあけられている。
【００３２】
筒状体４は、本体筒部５からなる。この本体筒部５は、両端が開口する円筒形状をしている。そして、本体筒部５は、防蟻成分を含有する材料（図示実施の形態においては、合成樹脂）からなる。つまり、本体筒部５は、防蟻成分を含有し、その防蟻成分は、例えば、クロチアニジン等のネオニコチノイド系化合物であったり、また、ピレスロイド系化合物、有機リン剤、カーバメート剤、ホウ素化合物、フッ素化合物であったりする。そこで、この防蟻成分が、例えば、マイクロカプセルに封入され、ベースとなる塩化ビニル樹脂とかポリエチレン樹脂等の合成樹脂材料に混練されて成形され、本体筒部５が形成される。そして、これら防蟻成分を適宜選択し、また、その含有率を調整することで、本体筒部５は、白蟻を忌避する忌避機能を備えたり、白蟻を殺虫する殺虫機能を備えたりする。
【００３３】
また、水抜孔１ｂの内面と本体筒部５の外面とが、それら両者間に介在する粘着性を備えた粘着体６（例えば、ブチルテープ）によって貼り付けられている。そして、この粘着体６は、防蟻成分を含有する。この防蟻成分としては、例えば、本体筒部５における防蟻成分と同様のものが用いられる。ここで、図２は、地中埋設箱１を示す。図３は、地中埋設箱１における水抜孔１ｂの内面に、粘着体６を付けた状態を示す。図４は、その粘着体６が付いた水抜孔１ｂに本体筒部５（筒状体４）を挿入して形成される、水抜孔１ｂの防蟻構造２を示す。そして、図１は、水抜孔１ｂの防蟻構造２において、水抜孔１ｂの周囲の底壁１ａ上（図示実施の形態においては、窪み１ｃ内）に水Ｗが溜められた状態を示す。
【００３４】
また、本体筒部５は、縮径可能に形成される。図示実施の形態においては、本体筒部５は、その周面に、軸方向に沿ってその軸方向の両端に達する切割部５ｂが形成されている。そこで、本体筒部５は、切割部５ｂを挟んで向かい合う先端部５ｃ、５ｃを、径方向にずらし周面を重ねるようにして縮径することができる。なお、本体筒部５を水抜孔１ｂに挿入した後には、その本体筒部５の前記上部筒部５ａにある切割部５ｂを塞ぐように、ブチルテープ７が貼り付けられている（図５参照）。なお、この図５においては、本体筒部５の前記先端部５ｃ、５ｃを、互いに突き合わせた状態で、前記ブチルテープ７を貼り付けているが、図６に示すように、それら先端部５ｃ、５ｃを、径方向にずらし周面を重ねた状態で、前記ブチルテープ７を貼り付けてもよい。
【００３５】
次に、以上の構成からなる防蟻構造２の作用効果について説明する。この防蟻構造２によると、地中埋設箱１内に浸入した水Ｗは、底壁１ａまで降下するが、水抜孔１ｂの周縁部に関壁３が設けられることで、水Ｗは、関壁３を囲むようにして水抜孔１ｂの周囲に溜められる。このため、水抜孔１ｂから地中埋設箱１内に侵入しようとする白蟻は、水抜孔１ｂの周囲の水Ｗに遮られて、それ以上先に進むことができない。すなわち、この防蟻構造２によれば、水抜孔１ｂの周縁部全周に関壁３を設けることで、水抜孔１ｂの周囲に水Ｗを溜め、水抜孔１ｂからの白蟻の侵入を防ぐことができる。ところで、白蟻の群飛時期は、ヤマトシロアリは、４月から５月、イエシロアリは、６月から７月であり、特にイエシロアリの群飛時期は、梅雨時期と重なる。このため、その群飛時期には、自ずと雨水（水Ｗ）は、地中埋設箱１内に浸入し水抜孔１ｂの周囲に溜められる。
【００３６】
また、本体筒部５（筒状体４）は、防蟻成分を含有する材料からなる。このため、水抜孔１ｂからの白蟻の侵入をより一層防ぐことができる。しかも、本体筒部５（筒状体４）が、地中埋設箱１の底壁１ａの下方に突出する長さを有しており、この下方への突出余長によって、本体筒部５（筒状体４）の内面をのぼろうとする白蟻がその本体筒部５（筒状体４）の上端に達することが困難となる。
【００３７】
また、本体筒部５は、その内面が平滑に形成されている。これにより、本体筒部５の内面をのぼろうとする白蟻の進行が困難となる。
【００３８】
また、水抜孔１ｂの内面と本体筒部５の外面とが、粘着性を備えた粘着体６によって貼り付けられている。これによって、水抜孔１ｂの内面と本体筒部５の外面との間からの水Ｗの漏れを的確に防ぐことができ、水抜孔１ｂの周囲に水Ｗを確実に溜めることができる。そして、この粘着体６、つまり水抜孔１ｂの内面と本体筒部５の外面との間の粘着体６が、防蟻成分を含有することで、その粘着体６を食い破って白蟻が地中埋設箱１内に侵入しようとするのを防ぐことができる。
【００３９】
また、本体筒部５は、縮径可能に形成されている。このため、本体筒部５を縮径した状態で水抜孔１ｂに挿入し、その後に所定の径となるよう拡径することで、この本体筒部５を水抜孔１ｂに簡単に配置することができる。
【００４０】
図７は、本発明の第二の実施の形態を示す。この実施の形態の防蟻構造２は、第一の実施の形態とは筒状体４が本体筒部５の他にフランジ部８を備える点が異なるが、他はほぼ同様であり、以下に、同様の部位には同一の符号を付して、異なる部分を主に説明する。
【００４１】
筒状体４は、本体筒部５と、フランジ部８とを備える。フランジ部８は、本体筒部５の上部筒部５ａから外方に突出するとともに底壁１ａの上面に接するものである。そこで、本体筒部５における上部筒部５ａとこのフランジ部８とで、関壁３が構成される。
【００４２】
詳細には、本体筒部５とフランジ部８とは、別体に形成される。そして、フランジ部８は、上部筒部５ａの外周に嵌まるようにして本体筒部５に取り付けられている。より詳細には、本体筒部５は、円筒状に形成され、フランジ部８は、円環状に形成されている。そして、フランジ部８は、本体筒部５と同様に、防蟻成分を含有する材料からなる。図示実施の形態においては、フランジ部８は、防蟻成分を含有するゴムからなる。つまり、フランジ部８は、防蟻成分を含有し、その防蟻成分は、例えば、クロチアニジン等のネオニコチノイド系化合物であったり、また、ピレスロイド系化合物、有機リン剤、カーバメート剤、ホウ素化合物、フッ素化合物であったりする。そこで、この防蟻成分が、例えば、マイクロカプセルに封入され、ベースとなるゴム材料に混練されて成形され、フランジ部８が形成される。そして、これら防蟻成分を適宜選択し、また、その含有率を調整することで、フランジ部８は、白蟻を忌避する忌避機能を備えたり、白蟻を殺虫する殺虫機能を備えたりする。
【００４３】
また、防蟻構造２は、網状体９を備える。詳しくは、網状体９は、白蟻の通過を防止するとともに水の通過を許容する大きさの網目（例えば、０．６７ｍｍ角の網目（目開き））を有し、関壁３の内側は、その網状体９で覆われている。そして、この網状体９は、関壁３（図示実施の形態においては、フランジ部８の上端部分）に、着脱可能に取り付けられている。
【００４４】
この防蟻構造２の作用効果は、第一の実施の形態と同様であるが、筒状体４は、本体筒部５の他に、底壁１ａの上面に接するフランジ部８を備えることから、白蟻が、底壁１ａの下方から、水抜孔１ｂの内面と本体筒部５との間を通って底壁１ａの上面までのぼったとしても、底壁１ａの上面に接するフランジ部８により、白蟻がそれ以上地中埋設箱１内に侵入するのが困難となる。
【００４５】
また、防蟻構造２は、筒状体４の他に網状体９を備えている。この網状体９が関壁３の内側を覆うことで、白蟻が、本体筒部５内に空中蟻道を作りその空中蟻道内をのぼって地中埋設箱１内に侵入しようとしても、この網状体９により、それ以上の侵入を防ぐことができる。また、この網状体９が関壁３に着脱可能に取り付けられていることから、網状体９が損傷したり劣化したりした場合には、網状体９を交換することができ、また、網状体９が汚れた場合には、網状体９を外して掃除することができる。
【００４６】
図８は、本発明の第三の実施の形態を示す。この実施の形態の防蟻構造２は、第一の実施の形態とは筒状体４が筒部材１０と関壁形成材１１とで形成される点が異なるが、他はほぼ同様であり、以下に、同様の部位には同一の符号を付して、異なる部分を主に説明する。
【００４７】
筒状体４は、水抜孔１ｂに挿入される筒部材１０と、関壁３を有して筒部材１０に着脱可能に螺合する関壁形成材１１とを備える。詳細には、筒部材１０は、内面に雌ねじ１０ａが設けられている。そして、関壁形成材１１は、関壁３と、その関壁３から下方に延びて筒部材１０の内側に嵌まる延設筒部１１ａとを備え、その延設筒部１１ａの外面に、筒部材１０の雌ねじ１０ａと螺合する雄ねじ１１ｂが設けられている。
【００４８】
より詳細には、筒部材１０は、地中埋設箱１の底壁１ａの下方に突出する長さを有する。この筒部材１０は、円筒状に形成され、その内面の全長に渡って前記雌ねじ１０ａが形成される。そして、筒部材１０は、第一の実施の形態における本体筒部５と同様に、防蟻成分を含有する材料からなる。また、第一の実施の形態における本体筒部５と同様に、水抜孔１ｂの内面と筒部材１０の外面とが、粘着性を備えた粘着体６（詳しくは、防蟻成分を含有する粘着体）によって貼り付けられる。
【００４９】
関壁形成材１１においては、関壁３は、底壁１ａの上面に接するように外方に突出して形成されている。詳しくは、関壁３は、円環状に形成されている。延設筒部１１ａは、関壁３の内径３ａ側から下方に延びて、円筒状に形成されている。そして、この関壁形成材１１を螺合により筒部材１０に組み付けたとき、延設筒部１１ａは、筒部材１０の下端に達することなく控えた位置にある。このため、筒部材１０の雌ねじ１０ａは、下部側が露出している。なお、この関壁形成材１１は、第二の実施の形態におけるフランジ部８と同様に、防蟻成分を含有する材料、詳しくは防蟻成分を含有するゴムからなる。
【００５０】
また、防蟻構造２は、第二の実施の形態における防蟻構造２と同様に、網状体９を備える。詳細には、網状体９は、関壁形成材１１（図示実施の形態においては、関壁３、詳しくは、関壁３の上端部分）に、着脱可能に取り付けられている。
【００５１】
この防蟻構造２の作用効果は、第一の実施の形態と同様であるが、筒状体４は、筒部材１０と関壁形成材１１とを備えて、関壁形成材１１が、筒部材１０に着脱可能に螺合する。これにより、使用により関壁形成材１１が損傷したり劣化したりした場合に、この関壁形成材１１を容易に交換することができる。そして、網状体９がこの関壁形成材１１に設けられていることから、網状体９が損傷したり劣化したりした場合には、網状体９を関壁形成材１１ごと交換することができ、また、網状体９が汚れた場合には、網状体９を関壁形成材１１ごと外して掃除することができる。さらには、網状体９が関壁形成材１１（詳しくは、関壁３）に着脱可能に取り付けられていることから、網状体９が損傷したり劣化したりした場合には、網状体９を関壁形成材１１から外すことで網状体９のみを交換することもでき、また、網状体９が汚れた場合には、網状体９のみを外して掃除することもできる。また、筒部材１０の雌ねじ１０ａは、下部側が露出している。このため、筒部材１０の内面をのぼろうとする白蟻の歩行距離が長くなり、筒状体４の内部を通っての白蟻の侵入が困難となる。
【００５２】
また、水抜孔１ｂの内面と筒部材１０の外面とが、粘着性を備えた粘着体６によって貼り付けられている。これによって、水抜孔１ｂの内面と筒部材１０の外面との間からの水Ｗの漏れを的確に防ぐことができ、水抜孔１ｂの周囲に水Ｗを確実に溜めることができる。そして、この粘着体６、つまり水抜孔１ｂの内面と筒部材１０の外面との間の粘着体６が、防蟻成分を含有することで、その粘着体６を食い破って白蟻が地中埋設箱１内に侵入しようとするのを防ぐことができる。
【００５３】
そして、関壁３は、底壁１ａの上面に接するように外方に突出して形成されている。これにより、白蟻が、底壁１ａの下方から、水抜孔１ｂの内面と筒部材１０との間を通って底壁１ａの上面までのぼったとしても、底壁１ａの上面に接する関壁３により、白蟻がそれ以上地中埋設箱１内に侵入するのが困難となる。
【００５４】
なお、本発明は、上述した実施の形態に限定されるわけではなく、その他種々の変更が可能である。例えば、第一の実施の形態において、本体筒部５（筒状体４）は、防蟻成分を含有するが、この防蟻成分を含有しなくてもよい。同様に、第二の実施の形態において、本体筒部５とフランジ部８とは、防蟻成分を含有するが、それら本体筒部５とフランジ部８との両方、あるいはいずれか一方は、防蟻成分を含有しなくてもよい。また、第三の実施の形態においても、筒部材１０と関壁形成材１１とは、防蟻成分を含有するが、それら筒部材１０と関壁形成材１１との両方、あるいはいずれか一方は、防蟻成分を含有しなくてもよい。また、第一および第二の実施の形態において、水抜孔１ｂの内面と本体筒部５の外面との間に設けられる粘着体６は、防蟻成分を含有するが、この防蟻成分を含有しなくてもよい。同様に、第三の実施の形態において、水抜孔１ｂの内面と筒部材１０の外面との間に設けられる粘着体６は、防蟻成分を含有するが、この防蟻成分を含有しなくてもよい。
【００５５】
また、第一および第二の実施の形態において、本体筒部５は、底壁１ａの下方に突出する長さを有するが、底壁１ａの下方に突出することなく水抜孔１ｂに挿入されてもよい。また、この本体筒部５は、縮径可能に形成されているが、縮径可能に形成されなくてもよい。つまり、本体筒部５に切割部５ｂが設けられなくてもよい。
【００５６】
また、第三の実施の形態においても、筒部材１０は、底壁１ａの下方に突出する長さを有するが、底壁１ａの下方に突出することなく水抜孔１ｂに挿入されてもよい。また、この筒部材１０には、その周面に、軸方向に沿ってその軸方向の両端に達する切割部が形成されてもよい。
【００５７】
また、第二の実施の形態において、本体筒部５とフランジ部８とは、別体に形成されているが、一体に形成されても構わない。
【００５８】
また、第二の実施の形態において、網状体９は、フランジ部８に設けられているが、本体筒部５に設けられてもよい。また、第一の実施の形態にあっても、本体筒部５（詳しくは、関壁３となる上部筒部５ａ）に網状体９を設けても構わない。反対に、第二の実施の形態において、網状体９を設けなくてもよい。また、第三の実施の形態においても、網状体９が設けられているが、この網状体９を設けなくてもよい。
【００５９】
また、第三の実施の形態において、関壁３は、底壁１ａの上面に接するように外方に突出して形成されているが、外方に突出して形成されることなく、例えば、延設筒部１１ａと同様の筒状に形成されてもよい。
【００６０】
また、第三の実施の形態において、筒部材１０は、その内面の全長に渡って雌ねじ１０ａが形成されているが、この雌ねじ１０ａは、全長に渡ることなく形成（例えば、雄ねじ１１ｂと螺合する部分にのみ形成）されてもよい。
【００６１】
また、第三の実施の形態において、筒部材１０には雌ねじ１０ａが設けられ、関壁形成材１１には雄ねじ１１ｂが設けられているが、例えば、筒部材１０を底壁１ａの上方に突出させるとともに、関壁形成材１１の延設筒部１１ａをなくして、その関壁形成材１１（関壁３）を筒部材１０の外側に嵌めるようにし、筒部材１０の外面に雄ねじを設け、関壁形成材１１（関壁３）の内面に、筒部材１０の雄ねじと螺合する雌ねじを設けるようにしてもよい。
【００６２】
また、関壁３は、地中埋設箱１とは別体の筒状体４により形成されているが、地中埋設箱１と一体に形成（例えば、コンクリートにより地中埋設箱１と関壁３とが一体に形成）されてもよい。
【００６３】
また、関壁３の内側あるいは筒状体４の内側に、弁（つまり、降下する水は通過し、上昇する水は止まる弁）を取り付けてもよい。
【符号の説明】
【００６４】
１  地中埋設箱
１ａ  底壁
１ｂ  水抜孔
２  防蟻構造
３  関壁
４  筒状体
５  本体筒部
５ａ  上部筒部
６  粘着体
８  フランジ部
９  網状体
１０  筒部材
１０ａ  雌ねじ
１１  関壁形成材
１１ａ  延設筒部
１１ｂ  雄ねじ
Ｗ  水
【図１】
2018186638.tif 000003
【図２】
2018186638.tif 000004
【図３】
2018186638.tif 000005
【図４】
2018186638.tif 000006
【図５】
2018186638.tif 000007
【図６】
2018186638.tif 000008
【図７】
2018186638.tif 000009
【図８】
2018186638.tif 000010
【図９】
2018186638.tif 000011